(57)【要約】【課題】  サブフレームのメインフレームに対する取り付け構造を簡単にし、製造を容易にする。【解決手段】  本を開いた状態で本の外側を支持する本体と、本体に取り付けられ本体上の本を開いた状態を保持するクリップと、本体を支持する支持体とを備え、本体を、細長状に形成されるメインフレーム２１と、細長状に形成されメインフレーム２１に直交させて固定される少なくとも一つのサブフレーム４０とを備えて構成し、メインフレーム２１に差込孔２８を設け、サブフレーム４０の長手方向一端にメインフレーム２１の差込孔２８に差し込まれる差込部４３を設けた。【選択図】  図１２
2007283024.tif 000002
【特許請求の範囲】
【請求項１】
本を開いた状態で該本の外側を支持する本体と、該本体に取り付けられ上記本体上の本を開いた状態を保持するクリップと、上記本体を支持する支持体とを備えた書見台において、
上記本体を、細長状に形成されるメインフレームと、細長状に形成され該メインフレームに直交させて固定される少なくとも一つのサブフレームとを備えて構成し、
上記メインフレームに差込孔を設け、上記サブフレームの長手方向一端に上記メインフレームの差込孔に差し込まれる差込部を設けたことを特徴とする書見台。
【請求項２】
上記サブフレームの差込部を、上記メインフレームの差込孔に対して着脱可能にしたことを特徴とする請求項１記載の書見台。
【請求項３】
上記メインフレームを中空状に形成し、該メインフレームの内部に、上記差込孔から差し込まれた差込部を挾持する一対の弾接片を設けたことを特徴とする請求項１または２記載の書見台。
【請求項４】
上記メインフレームを、弾性のある材料により形成され、一側面，該一側面に対峙する他側面及び該一側面と他側面の基端間に架設された底面により横断面コ字状に形成された一対のコ字状部材を備え、上記一対のコ字状部材の一側面及び他側面の先端側を互いに向かい合わせて組み合わせ、上記一対のコ字状部材のうち一方のコ字状部材の一側面の内側の先端部を他方のコ字状部材の他側面の外側の基端部に接合し、上記他方のコ字状部材の一側面の内側の先端部を上記一方のコ字状部材の他側面の外側の基端部に接合して形成し、
上記コ字状部材の底面に上記差込孔を設け、上記一対のコ字状部材の他側面を上記弾接片として構成したことを特徴とする請求項３記載の書見台。
【請求項５】
上記サブフレームを、伸縮可能に形成したことを特徴とする請求項１，２，３または４記載の書見台。
【請求項６】
上記サブフレームを、横断面チャンネル状の内側部材と、該内側部材の開放端が内側に入り込んで該内側部材を長手方向に相対的にスライド移動可能に保持する横断面チャンネル状の外側部材とを備えて構成し、上記内側部材及び外側部材のいずれか一方の一端を切除し、上記差込部をいずれか他方の一端で構成したことを特徴とする請求項５記載の書見台。
【請求項７】
上記差込孔を、上記メインフレームを貫通して左右に一対設け、
一方の差込孔に差し込まれる上記サブフレームの差込部を上記内側部材の一端で形成し、他方の差込孔に差し込まれるサブフレームの差込部を外側部材の一端で形成し、
上記一対の差込孔に差し込まれる一方の差込部と他方の差込部とを上記メインフレーム内で係合したことを特徴とする請求項６記載の書見台。
【請求項８】
上記一方の差込孔に差し込まれるサブフレームの内側部材と、上記他方の差込孔に差し込まれるサブフレームの外側部材とを同一面側に位置させ、上記内側部材の差込部と上記外側部材の差込部とを重ねて係合したことを特徴とする請求項７記載の書見台。
【請求項９】
上記サブフレーム内に、上記サブフレームの伸縮幅を規制するストッパを設け、
該ストッパを、上記内側部材または外側部材のうち、上記差込部が設けられていない方の内側面に突出部を設け、上記差込部が設けられた方の内側面に上記突出部を衝止する衝止片を設けたことを特徴とする請求項６，７または８記載の書見台。
【請求項１０】
上記内側部材及び外側部材間に、該内側部材及び外側部材を補強するロッドを挿通したことを特徴とする請求項６，７，８または９記載の書見台。
【請求項１１】
上記クリップを、上記本体に着脱可能に取り付けたことを特徴とする請求項１，２，３，４，５，６，７，８，９または１０記載の書見台。
【請求項１２】
上記クリップを、上記本体に取り付けられるクリップ取付部と、上記本体との間に開かれた本を包持する包持部とを備え、上記包持部を、一端がクリップ取付部に支持された線材で構成したことを特徴とする請求項１，２，３，４，５，６，７，８，９，１０または１１記載の書見台。
【請求項１３】
上記本体を複数種類の支持体に着脱可能にしたことを特徴とする請求項１，２，３，４，５，６，７，８，９，１０，１１または１２記載の書見台。
【請求項１４】
上記支持体は、少なくとも手で把持する把手，載置用のスタンド，片持ち支持されるアームの３種類あることを特徴とする請求項１３記載の書見台。
【請求項１５】
上記メインフレームの裏面に、該メインフレームの長手方向に沿って列設される複数の支持体取付孔を形成し、
上記把手を、把持される把持部と、上記支持体取付孔に挿入されて取り付けられる支持体取付部とを備えて構成し、
上記把持部を、頂点で互いに交差されて互いに接合される２つのＵ字状部材で構成し、上記支持体取付部を、２つのＵ字状部材のうち少なくともいずれか一方の両端に外向に折曲形成し、該支持体取付部を上記複数の支持体取付孔のうち２つの支持体取付孔に差し込み可能にしたことを特徴とする請求項１４記載の書見台。
【請求項１６】
上記メインフレームの裏面に、該メインフレームの長手方向に沿って列設される複数の支持体取付孔を形成し、
上記把手を、把持される把持部と、上記支持体取付孔に挿入されて取り付けられる支持体取付部とを備えて構成し、
上記把持部を、１つのＵ字状部材と、該Ｕ字状部材の頂点の外側に回動可能に設けられるリング状部材とを備えて構成し、
上記支持体取付部を、上記Ｕ字状部材の両端に外向に折曲形成し、該支持体取付部を上記複数の支持体取付孔のうち２つの支持体取付孔に差し込み可能にしたことを特徴とする請求項１４記載の書見台。
【発明の詳細な説明】
【技術分野】
【０００１】
本発明は、本を開いた状態で保持する書見台に関する。
【背景技術】
【０００２】
従来、この種の書見台としては、例えば、特許文献１（特開２００１−２１８６３０号公報）に記載されたものが知られている。
【０００３】
図２８乃至図３０に示すように、この書見台は、板状に形成され書物を受ける載置板１と、載置板１の上側に載置板１の面方向に上下に進退可能に取り付けられるメインフレーム２と、載置板１の左右両側に載置板１の面方向左右に進退可能に取り付けられる一対のサブフレーム３とを備えてなる。
また、載置板１の下部には、本の下縁を支持する支持部材４が前側に突設されている。更に、載置板１は、載置板１の裏面に設けた支柱５を備えている。この支柱５は、台等に載置可能なベース６ａを有したアーム６に結合される。そして、このアーム６を介して片持ち支持される。
【０００４】
メインフレーム２は、板状に形成され、載置板１の背面に上下に設けられたチャンネル状の縦方向ガイド部材７によりガイドされている。また、メインフレーム２は、縦方向ガイド部材７に設けられ長手方向がメインフレーム２の進退方向に沿う長孔８に挿通されるとともにこのメインフレーム２にネジ止めされたボルト９により抜け止めされている。更に、メインフレーム２の進出方向先端には、載置板１上の本の上側縁部中央を保持する保持部材１０が設けられている。
サブフレーム３は、板状に形成され、載置板１の背面に設けたチャンネル状の横方向ガイド部材１１によりガイドされている。また、横方向ガイド部材１１に設けられ長手方向がサブフレーム３の進退方向に沿う長孔１２に挿通されるとともにこのサブフレーム３にネジ止めされたボルト１３により抜け止めされている。更に、各サブフレーム３の進出方向先端には、載置板１上の本の側縁部を保持する保持部材１４が設けられている。
【０００５】
この書見台を用いるには、読む本の大きさに合わせてメインフレーム２及びサブフレーム３を進退動させるとともに本を載置板１上に開いて載せる。次に、メインフレーム２及びサブフレーム３の保持部材１０，１４で載置板１上の本の外縁を保持する。
この状態で、本を読む。そして、既読のページ等をめくる際には、保持部材１０，１４の保持を解除して、このページをめくっていく。
【０００６】
【特許文献１】特開２００１−２１８６３０号公報
【発明の開示】
【発明が解決しようとする課題】
【０００７】
ところで、このような書見台にあっては、メインフレーム２及びサブフレーム３が載置板１を介して互いに固定されているので、構造が複雑で製造が面倒になるという問題があった。
【０００８】
本発明は上記の問題点に鑑みて為されたもので、サブフレームのメインフレームに対する取り付け構造を簡単にし、製造を容易にした書見台を提供することを目的とする。
【課題を解決するための手段】
【０００９】
このような目的を達成するための本発明の書見台は、本を開いた状態で該本の外側を支持する本体と、該本体に取り付けられ上記本体上の本を開いた状態を保持するクリップと、上記本体を支持する支持体とを備えた書見台において、上記本体を、細長状に形成されるメインフレームと、細長状に形成され該メインフレームに直交させて固定される少なくとも一つのサブフレームとを備えて構成し、上記メインフレームに差込孔を設け、上記サブフレームの長手方向一端に上記メインフレームの差込孔に差し込まれる差込部を設けた構成としている。
【００１０】
この書見台を製造する際には、メインフレームの各差込孔にサブフレームの差込部を差し込んで、メインフレームにサブフレームを取り付ける。
この際、サブフレームは、その差込部をメインフレームの差込孔に差し込むだけで、サブフレームとメインフレームとが直接固定される。これにより、簡単な構造でサブフレームをメインフレームに取り付けることができ、容易に製造することができる。
【００１１】
この書見台を用いる際には、本体上に本を開いた状態で載置し、クリップで、本体上の本が開いた状態を保持する。この際、本を開いた状態が保持されるので、容易に本を読むことができる。そして、本のページをめくる際には、読み終えた紙片を手で持ってクリップから外してめくる。
【００１２】
また、必要に応じ、上記サブフレームの差込部を、上記メインフレームの差込孔に対して着脱可能にしている。
これにより、メインフレームからサブフレームを取り外して分解でき、持ち運びを容易に行なうことができる。
また、必要に応じ、上記メインフレームを中空状に形成し、該メインフレームの内部に、上記差込孔から差し込まれた差込部を挾持する一対の弾接片を設けている。
差込孔から差し込まれた差込部は、メインフレーム内において、弾接片で挾持されているので、サブフレームをメインフレームから抜けにくくすることができる。
【００１３】
更に、必要に応じ、上記メインフレームを、弾性のある材料により形成され、一側面，該一側面に対峙する他側面及び該一側面と他側面の基端間に架設された底面により横断面コ字状に形成された一対のコ字状部材を備え、上記一対のコ字状部材の一側面及び他側面の先端側を互いに向かい合わせて組み合わせ、上記一対のコ字状部材のうち一方のコ字状部材の一側面の内側の先端部を他方のコ字状部材の他側面の外側の基端部に接合し、上記他方のコ字状部材の一側面の内側の先端部を一方のコ字状部材の他側面の外側の基端部に接合して形成し、上記コ字状部材の底面に上記差込孔を設け、上記一対のコ字状部材の他側面を上記弾接片として構成している。
メインフレームは、その組み立て時において、一対のコ字状部材の一側面及び他側面の先端側を互いに向けて組み合わせ、一方のコ字状部材の一側面の内側の先端部が他方のコ字状部材の他側面の外側の基端部に接合され、他方のコ字状部材の一側面の内側の先端部が一方のコ字状部材の他側面の外側の基端部に接合されて形成される。これにより、容易にメインフレームを中空状に形成できる。また、メインフレームの内部に弾接片を容易に形成することができる。
【００１４】
次にまた、必要に応じ、上記サブフレームを、伸縮可能に形成している。
これにより、サブフレームの長さを調整でき、そのため、本体の大きさを調整でき、種々の大きさの本に対応させることができる。
また、必要に応じ、上記サブフレームを、横断面チャンネル状の内側部材と、該内側部材の開放端が内側に入り込んで該内側部材を長手方向に相対的にスライド移動可能に保持する横断面チャンネル状の外側部材とを備えて構成し、上記内側部材及び外側部材のいずれか一方の一端を切除し、上記差込部をいずれか他方の一端で構成している。
これにより、簡易な構造でサブフレームを伸縮させることができ、製造コストの低減を期待できる。
このサブフレームを伸長させる場合には、例えばサブフレームの他端部を引っ張る等する。また、サブフレームの長さを収縮させる場合には、例えば、サブフレームの他端部を押し込む。そのため、伸縮操作が簡単になる。
【００１５】
更に、必要に応じ、上記差込孔を、上記メインフレームを貫通して左右に一対設け、一方の差込孔に差し込まれる上記サブフレームの差込部を上記内側部材の一端で形成し、他方の差込孔に差し込まれるサブフレームの差込部を外側部材の一端で形成し、上記一対の差込孔に差し込まれる一方の差込部と他方の差込部とを上記メインフレーム内で係合した構成としている。
これにより、一方の差込部と他方の差込部とをメインフレーム内で係合したので、サブフレームのメインフレームに対しての取り付けが強固になる。
【００１６】
更に、必要に応じ、上記一方の差込孔に差し込まれるサブフレームの内側部材と、上記他方の差込孔に差し込まれるサブフレームの外側部材とを同一面側に位置させ、上記内側部材の差込部と上記外側部材の差込部とを重ねて係合している。
これにより、メインフレームに連続して固定される一方のサブフレームの内側部材と他方のサブフレームの外側部材とを同一面側に位置させることができるので、補強部材などの取り付けにおいて、左右対称にすることができ、外観が良好になる。
更にまた、必要に応じ、上記サブフレーム内に、上記サブフレームの伸縮幅を規制するストッパを設け、該ストッパを、上記内側部材または外側部材のうち、上記差込部が設けられていない方の内側面に突出部を設け、上記差込部が設けられた方の内側面に上記突出部を衝止する衝止片を設けた構成としている。
これにより、サブフレームの他端を引っ張っていくと、突出部が衝止片に衝止するので、抜け止めがなされる。
【００１７】
また、必要に応じ、上記内側部材及び外側部材間に、該内側部材及び外側部材を補強するロッドを挿通している。
これにより、ロッドがサブフレームの内部に挿通され、本体の補強を行なうことができる。
【００１８】
そしてまた、必要に応じ、上記クリップを、上記本体に着脱可能に取り付けている。
これにより、本体の使用角度に合わせて本が落ちないようにするにあたって、クリップの数を増減させることができる。
また、必要に応じ、上記クリップを、上記本体に取り付けられるクリップ取付部と、上記本体との間に開かれた本を包持する包持部とを備え、上記包持部を、一端がクリップ取付部に支持された線材で構成している。
これにより、包持部は、線材で構成され、この線材で本を包持するようにしているので、本のページめくりをする際、本の紙片をクリップから外し易くページめくりが容易になる。
次にまた、必要に応じ、上記本体を複数種類の支持体に着脱可能にした構成としている。
これにより、着脱可能なので、この書見台を使用しない場合等に、支持体を取り外すことができる。そのため、かさばりにくくなり、書見台の収納を容易に行なうことができる。
望ましくは、上記支持体は、少なくとも手で把持する把手，載置用のスタンド，片持ち支持されるアームの３種類ある。
本体が種々の支持体に取付可能なので、一台の本体に対して支持体を取り替えることで、状況に合わせて使い分けることができ、汎用性を向上させることができる。
【００１９】
更にまた、必要に応じ、上記メインフレームの裏面に、該メインフレームの長手方向に沿って列設される複数の支持体取付孔を形成し、上記把手を、把持される把持部と、上記支持体取付孔に挿入されて取り付けられる支持体取付部とを備えて構成し、上記把持部を、頂点で互いに交差されて互いに接合される２つのＵ字状部材で構成し、上記支持体取付部を、２つのＵ字状部材のうち少なくともいずれか一方の両端に外向に折曲形成し、該支持体取付部を上記複数の支持体取付孔のうち２つの支持体取付孔に差し込み可能にした構成としている。
把持部が十字になっているので、持ちやすくなる。
そしてまた、必要に応じ、上記メインフレームの裏面に、該メインフレームの長手方向に沿って列設される複数の支持体取付孔を形成し、上記把手を、把持される把持部と、上記支持体取付孔に挿入されて取り付けられる支持体取付部とを備えて構成し、上記把持部を、１つのＵ字状部材と、該Ｕ字状部材の頂点の外側に回動可能に設けられるリング状部材とを備えて構成し、上記支持体取付部を、上記Ｕ字状部材の両端に外向に折曲形成し、該支持体取付部を上記複数の支持体取付孔のうち２つの支持体取付孔に差し込み可能にしている。
これにより、リング状部材に指を通して持つので、手から支持体を落としにくくすることができる。
【発明の効果】
【００２０】
本発明の書見台によれば、メインフレームに差込孔を設け、サブフレームの長手方向一端にメインフレームの差込孔に差し込まれる差込部を設けたので、製造の際に、メインフレームの各差込孔にサブフレームの差込部を差し込むだけで、サブフレームとメインフレームとが直接固定され、そのため、簡単な構造でサブフレームをメインフレームに取り付けることができ、容易に製造することができる。
【発明を実施するための最良の形態】
【００２１】
以下、添付図面に基づいて、本発明の実施の形態に係る書見台について詳細に説明する。
【００２２】
図１乃至図１６には、本発明の第一の実施の形態に係る書見台を示している。
この書見台は、本を開いた状態で本Ｂの外側を支持する本体２０と、本体２０に取り付けられ本体２０上の本Ｂを保持するクリップ７０，７５と、本体２０を支持する支持体９０とを備えて構成されている。
【００２３】
本体２０は、図１乃至図１３に示すように、細長状に形成されるメインフレーム２１と、細長状に形成されメインフレーム２１に直交させて固定される少なくとも一つのサブフレーム４０とを備えて構成されている。そして、メインフレーム２１には、差込孔２８が設けられ、サブフレーム４０の長手方向一端には、メインフレーム２１の差込孔２８に差し込まれる差込部４３が設けられている。
実施の形態においては、書見台は、１本のメインフレーム２１と、メインフレーム２１の両側に３本ずつ計６本のサブフレーム４０とからなる。
【００２４】
メインフレーム２１は、図６及び図７に示すように、弾性のある材料により形成され、一側面２３，一側面２３に対峙する他側面２４及び一側面２３と他側面２４の基端間に架設された底面２５により横断面コ字状に形成された一対のコ字状部材２２を備えてなる。
このメインフレーム２１は、一対のコ字状部材２２の一側面２３及び他側面２４の先端側を互いに向かい合わせて組み合わせ、一対のコ字状部材２２のうち一方のコ字状部材２２の一側面２３の内側の先端部２７を他方のコ字状部材２２の他側面２４の外側の基端部２６に接合し、他方のコ字状部材２２の一側面２３の内側の先端部２７を一方のコ字状部材２２の他側面２４の外側の基端部２６に接合して形成されている。
更に、差込孔２８は、メインフレーム２１を貫通して左右に一対設けられている。この差込孔２８は、一対のコ字状部材２２の相対向する底面２５を貫通して設けられている。
また、図６，図７，図１１乃至図１３に示すように、一対のコ字状部材２２の他側面２４は、メインフレーム２１の内部に、差込孔２８から差し込まれた差込部４３を挾持する一対の弾接片２９として構成されている。
【００２５】
更に、メインフレーム２１は、上下に分割されている。そして、一端が上側のメインフレーム２１ａに挿通されて固定され他端が下側のメインフレーム２１ｂの内部に進退可能に挿通される細長状の板体３１が設けられており、この板体３１を介して上側のメインフレーム２１ａが下側のメインフレーム２１ｂに対して進退可能になっている。板体３１は、上側のメインフレーム２１ａにネジ３０によりネジ止めされている。また、下側のメインフレーム２１ｂの上部には、メインフレーム２１の内部に貫通する雌ネジ（図示せず）を有した孔が設けられ、この雌ネジに螺合する雄ネジ３２により板体３１を締め付け可能になっており、雄ネジ３２により、上側のメインフレーム２１ａの進出位置の位置決めがなされる。
【００２６】
また、図８，図９乃至図１５に示すように、サブフレーム４０は、伸縮可能に形成されている。このサブフレーム４０は、横断面チャンネル状の内側部材４１と、内側部材４１の開放端が内側に入り込んで内側部材４１を長手方向に相対的にスライド移動可能に保持する横断面チャンネル状の外側部材４２とを備えて構成されている。内側部材４１には、その閉塞端側に長手方向に沿う板状の鍔部４４が突設されている。内側部材４１と外側部材４２は、樹脂により形成されている。
図１０乃至図１５に示すように、この内側部材４１及び外側部材４２間には、内側部材４１及び外側部材４２を補強する金属製のロッドＲが挿通されている。ロッドＲは角柱状に形成され、中央に差込孔２８ａまたは差込孔２８ｂに掛止される凹溝４９が形成されている。
【００２７】
また、図１乃至図１３に示すように、書見台の正面に向かって左側のサブフレーム４０（４０ａ）には、内側部材４１に差込部４３が形成され、向かって右側のサブフレーム４０（４０ｂ）には、外側部材４２に差込部４３が形成されている。
また、左側のサブフレーム４０（４０ａ）の差込部４３は、内側部材４１の長手方向一端側に設けられている。左側のサブフレーム４０（４０ａ）の差込部４３は、長手方向一端側に向けて薄肉になるように内側部材４１を切除して形成されている。また、鍔部４４も切除されている。右側のサブフレーム４０（４０ｂ）の差込部４３は、外側部材４２の長手方向一端側に設けられている。この右側のサブフレーム４０（４０ｂ）の差込部４３は、長手方向一端側に向けて薄肉になるように外側部材４２を切除して形成されている。
そして、図１１及び図１２に示すように、正面に向かって左側の差込孔２８ａに差し込まれるサブフレーム４０（４０ａ）の内側部材４１と、右側の差込孔２８ｂに差し込まれるサブフレーム４０（４０ｂ）の外側部材４２とを同一面（実施の形態では裏面）側に位置させ、内側部材４１の差込部４３と外側部材４２の差込部４３とを重ねて係合している。
【００２８】
書見台の正面に向かって左側のサブフレーム４０（４０ａ）は、その外側部材４２が内側部材４１よりも長手方向の長さが長く形成され、このサブフレーム４０の他端側において外側部材４２に接合される別の内側部材４５が設けられている。
また、書見台の正面に向かって右側のサブフレーム４０（４０ｂ）は、その内側部材４１が外側部材４２よりも長手方向の長さが長く形成され、このサブフレーム４０の他端側において内側部材４１に接合される別の外側部材４６が設けられている。
図中、４７は、差込孔２８ａ，２８ｂの開口端縁部が入り込んでサブフレーム４０の差込部４３を差込孔２８ａ，２８ｂから抜けにくくする溝，４８は、メインフレーム２１及びサブフレーム４０のメインフレーム２１に差し込まれる差込部４３付近を覆うカバーである。
【００２９】
また、図８，図１３乃至図１５に示すように、サブフレーム４０内に、サブフレーム４０の伸縮幅を規制するストッパ５０を設けている。ストッパ５０は、内側部材４１または外側部材４２のうち、差込部４３が設けられていない方の内側面に突出部５１を設け、差込部４３が設けられた方の内側面に上記突出部５１が衝止する衝止片５２を設けた構成としている。突出部５１及び衝止片５２は、コ字状に形成され、サブフレーム４０の伸縮時に内側がロッドＲに摺動するとともに、サブフレーム４０の伸長時に突出部５１が衝止片５２に衝止する（図１３（ｂ））。また、図中、５３は、突出部５１及び衝止片５２と同形状に形成され、ロッドＲが内側に摺動するガイド部材である。尚、左側のサブフレーム４０ａにも、右側のサブフレーム４０ｂと同様に、突出部５１，衝止片５２及びガイド部材５３が設けられている。
【００３０】
また、図１及び図２に示すように、中段のサブフレーム４０と下段のサブフレーム４０の間には、メインフレーム２１から所定間隔離間してメインフレーム２１と平行な第１の補助フレーム６０が架設されている。
この第１の補助フレーム６０は、後述の載置板８０に取り付けられている。また、この第１の補助フレーム６０は、把持可能になっており、後述の支持体９０，９０ａ，９０ｂとともに用いられ、支持体９０等の支持及び把手として機能する。
図中、６１は、クッション性のある滑り止め材である。
【００３１】
また、上段のサブフレーム４０の他端部から下段のサブフレーム４０の他端部に亘って第２の補助フレーム６５が設けられている。この第２の補助フレーム６５は、上端側及び下端側に孔６６が設けられこの孔に挿通されるボルト及びボルトがねじ込まれるナット（６７）により回動可能に固定される。
また、上端側の孔６６は、第２の補助フレーム６５の長手方向に沿う長孔に形成されている。これは、上側のメインフレーム２１ａの進退及びサブフレーム４０の伸縮に対応して、上端側の孔６６に挿通されたボルト（６７）が孔６６を移動できるようにしたものである。
第２の補助フレーム６５の中央は、中段のサブフレーム４０が挿通されるリング体６８により中段のサブフレーム４０に対して左右に移動可能に固定され、上段及び下段のサブフレーム４０の伸縮に対応可能になっている。また、第２の補助フレーム６５は、リング体６８から突出した回動軸６９により軸支されている。更に、リング体６８の表面側には、頭部大径のピン６８ａが突設され、このピン６８ａは載置板８０に形成した長孔８３に挿通され載置板８０に対して左右に移動可能になっている。
【００３２】
図１乃至図４に示すように、クリップ７０，７５は、本体２０に取り付けられるクリップ取付部７１と、本体２０との間に開かれた本Ｂを包持する包持部７２とを備えている。クリップ７０，７５は、上段，中段及び下段のサブフレーム４０の他端側に夫々取り付けられている。このうち、中段のサブフレーム４０には、着脱可能なクリップ７０が取り付けられている。また、上段及び下段のサブフレーム４０に取り付けられたクリップ７５は、サブフレーム４０に固定されるタイプのものである。
着脱可能なタイプのクリップ７０は、図３に示すように、そのクリップ取付部７１が包持部７２から二股に分かれ弾性を有した線材で形成されている。このクリップ７０のクリップ取付部７１を、中段のサブフレーム４０の他端側において、内側部材４１と外側部材４２の間に形成された空間に差し込むと、サブフレーム４０の内側に弾接し、この弾接によりクリップ７０がサブフレーム４０に取り付けられる。また、図３に示すように、クリップの変形例（７０ａ）としては、クリップ取付部７１ａが内側にロッドＲの端部側が挿通可能なコ字状に形成されたものであってもよい。
また、包持部７２は、一端がクリップ取付部７１に支持された金属製の線材７２で形成されている。
【００３３】
固定タイプのクリップ７５は、図１６に示すように、そのクリップ取付部７１側がサブフレーム４０の他端側に設けた貫通孔７４に挿入され、サブフレーム４０の内部で第２の補助フレーム６５の両端を夫々支持するボルト及びナット６７に固定されている。第２の補助フレーム６５の両端を夫々支持するボルト（６７）には、コイルスプリング７６，ワッシャ７７及びリング状に形成されたクリップ取付部７１が挿通されている。これにより、包持部７２は後側に押されて、コイルスプリング７６の付勢力に抗して後退可能になっており、包持部７２の後退により本Ｂをめくりやすくしている。また、後退した包持部７２は、コイルスプリング７６の付勢力により元位置に復帰できるようになっている。更に、本Ｂが厚いときには、コイルスプリング７６の付勢力により包持部７２で本Ｂを載置板８０側に押さえられるようになっている。
また、このクリップ７５は、包持部７２が、一端がクリップ取付部７１に支持された金属製の線材で形成されている。この固定タイプのクリップ７５の包持部７２は、本Ｂの開いたページの表面に向けて近接する湾曲部７２ａが形成されている。湾曲部７２ａの頂点付近は、本Ｂに略点接触するようになっている。
【００３４】
また、書見台の前面側には、メインフレーム２１及びサブフレーム４０に当接して固定され、本Ｂが載置される載置板８０が設けられている。この載置板８０は、樹脂により形成され、メインフレーム２１及びサブフレーム４０に固定される。また、載置板８０には、その中央に前後に貫通する孔８１が第１の補助フレーム６０の周囲に設けられている。この孔８１は、第１の補助フレーム６０を把持する場合に指を通すための貫通孔である。
図中、８２は、載置板８０に設けられ載置板８０上の本Ｂの背表紙を挟んでその左右のずれを規制するガイドである。
更に、図３及び図４に示すように、メインフレーム２１の上端から下端に架け渡し可能に設けられ、架け渡された際に本Ｂを留める紐体８５が設けられている。この紐体８５は、一端がメインフレーム２１の上端から内部に差し込まれる結合金具８６によりメインフレーム２１の上端に結合され、他端にメインフレーム２１の下端に設けたフック８８に掛止される掛止部８７が設けられている。フック８８は、メインフレーム２１の下端から内部に差し込まれる板状に形成され端部に紐体８５が挿入可能な溝８９が形成されている。掛止部８７は、球状に形成され紐体８５が貫通している。
【００３５】
支持体９０は、図３に示すように、本体２０に着脱可能な把持される把手で構成されている。
この把手型の支持体９０は、把持される把持部９１と、本体２０に固定される支持体取付部９２とを備えてなる。把持部９１は、外側に樹脂が被覆された金属製板状の芯材９４により形成される２つのＵ字状部材９３で構成されている。この２つのＵ字状部材９３は、その頂点で互いに交差されて接合されている。支持体取付部９２は、２つのＵ字状部材９３のうち少なくともいずれか一方の両端部に露出した芯材９４を折曲して形成される。また、実施の形態においては、いずれか他方の両端部は、外側に向けて折曲形成されており、第１の補助フレーム６０に当接させて本体２０を支持可能になっている。支持体取付部９２は、メインフレーム２１に形成した複数の支持体取付孔１００のうち、２つの支持体取付孔１００に差込可能になっている。そして、支持体取付部９２からメインフレーム２１の内部に差し込まれると、Ｕ字状部材９３がその弾性力により支持体取付孔１００に突っ張って、支持体９０がメインフレーム２１に固定される。
【００３６】
この書見台を製造する際には、先ず、メインフレーム２１とサブフレーム４０とを予め作成しておく。
メインフレーム２１は、図６及び図７に示すように、一対のコ字状部材２２の一側面２３及び他側面２４の先端側を互いに向けて組み合わせる。そして、一方のコ字状部材２２の一側面２３の内側の先端部２７を他方のコ字状部材２２の他側面２４の外側の基端部２６に接合し、他方のコ字状部材２２の一側面２３の内側の先端部２７を一方のコ字状部材２２の他側面２４の外側の基端部２６に接合して形成する。
これにより、容易にメインフレーム２１を中空状に形成できる。また、メインフレーム２１の内部に弾接片２９を容易に形成することができる。
サブフレーム４０は、次のように組み立てられる。図８に示すように、内側部材４１と、外側部材４２に夫々、突出部５１，衝止片５２及びガイド部材５３を設け、内側部材４１に外側部材４２を組み付ける。そして、左側のサブフレーム４０（４０ａ）には、その外側部材４２に別の内側部材４５を組み付け、右側のサブフレーム４０（４０ｂ）には、その内側部材４１に別の外側部材４６を組み付ける。
また、この際、上段及び下段のサブフレーム４０の他端側に、予め、第２の補助フレーム６５を取り付けるためのボルト及びナット６７を取り付けるとともに、固定式のクリップ７５も取り付けておく。
【００３７】
次に、図１０乃至図１３に示すように、メインフレーム２１の差込孔２８にロッドＲを挿通し、この状態で、メインフレーム２１の各差込孔２８にサブフレーム４０の差込部４３を差し込んで、メインフレーム２１にサブフレーム４０を取り付ける。また、ロッドＲは、突出部５１，衝止片５２及びガイド部材５３の内側に挿通される。
この際、サブフレーム４０は、その差込部４３をメインフレーム２１の差込孔２８に差し込むだけで、サブフレーム４０とメインフレーム２１とが直接固定される。これにより、簡単な構造でサブフレーム４０をメインフレーム２１に取り付けることができ、容易に製造することができる。
また、ロッドＲで補強されるので、サブフレーム４０が強固になり、サブフレーム４０の不意な脱落が防止される。更に、ロッドＲに凹溝４９を設けてこれを差込孔２８の開口端縁に係止したので、ロッドＲのずれが防止される。
【００３８】
また、この際、メインフレーム２１内においては、差込部４３が弾接片２９で挾持されているので、サブフレーム４０をメインフレーム２１から抜けにくくすることができる。
また、左側の差込孔２８ａに差し込まれたサブフレーム４０の差込部４３が内側部材４１に、右側の差込孔２８ｂに差し込まれたサブフレーム４０の差込部４３が外側部材４２に夫々形成され、この差込部４３同士が互いにメインフレーム２１内で係合するので、サブフレーム４０はメインフレーム２１に対しての取り付けが強固になる。また、差込部４３を内側部材４１同士、あるいは外側部材４２同士に形成した場合に比較すると、このものは、差込部４３同士が係合しにくいので、差込部４３の重なった部分が厚くなり、メインフレーム２１に入り難くなってしまうが、本発明においては、差込部４３同士が互いにメインフレーム２１内で係合するので、それだけ差込部４３の重なった部分の厚さが薄くなる。そのため、メインフレーム２１の差込孔２８に差込部４３を容易に差し込むことができ、書見台の製造を容易に行なうことができる。
【００３９】
次に、カバー４８及び第１の補助フレーム６０を取り付け、中段のサブフレーム４０にリング体６８を挿通し、第２の補助フレーム６５を取り付ける。次にまた、着脱可能なタイプのクリップ７０を中段のサブフレーム４０の他端側に取り付け、支持体９０をメインフレーム２１に取り付ける。
【００４０】
この書見台を用いる際には、図４に示すように、載置板８０上に本Ｂを開いた状態で載置する。この際、本Ｂの大きさに合わせて、適時、メインフレーム２１を進退動させたり、サブフレーム４０を伸縮したりする。メインフレーム２１を進退動させる際には、雄ネジ３２を緩めて進退動させ、適宜の位置で雄ネジ３２で板体３１を締め付ける。また、サブフレーム４０は、図５及び図１４に示すように、他端側に引っ張って伸長させる（図５（ｂ），図１４（ｂ））。あるいは、他端部を一端側に押し込んで収縮させる。これにより、本Ｂの大きさに合わせて本体２０の大きさを調整でき、種々の大きさの本Ｂに対応させることができる。また、クリップ７０が着脱可能なので、本体２０の使用角度に合わせて本が落ちないように、クリップ７０の数を増減させる。そして、本Ｂを包持部７２で包持する。
この際、サブフレーム４０は、横断面チャンネル状の内側部材４１と、内側部材４１をスライド移動可能に保持する横断面チャンネル状の外側部材４２とを備えて構成したので、簡易な構造でサブフレーム４０を伸縮させることができ、製造コストの低減を期待できる。
また、サブフレーム４０においては、ストッパ５０が作用して、内側部材４１と外側部材４２とが外れなくなる。即ち、図１４（ｂ）に示すように、引っ張りすぎても突出部５１が衝止片５２に衝止するので、左側のサブフレーム４０（４０ａ）において内側部材４１に対して外側部材４２が、右側のサブフレーム４０（４０ｂ）において外側部材４２に対して内側部材４１が夫々外れなくなる。
また、更に、サブフレーム４０を伸縮させると、突出部５１等が摺動するが、ロッドＲに凹溝４９を設けてこれを差込孔２８の開口端縁に係止したので、ロッドＲがずれてサブフレーム４０から抜ける自体が防止される。
【００４１】
次に、この状態で、支持体９０である把手を把持し、本Ｂを読む。この際、本Ｂは、開いた状態で保持されるので、容易に本Ｂを読むことができる。また、支持体９０である把手の把持部９１は、２つのＵ字状部材９３を十字にして形成し、十字のＵ字状部材９３の間に指を差し入れて把持するので、手による把持が確実になり、容易に本Ｂを読むことができる。
そして、本Ｂの紙片を左から右にめくる際には、図４（二点鎖線）に示すように、例えば、読み終えた紙片の左端を手で持って、左側中段のサブフレーム４０ａに設けたクリップ７０から外してめくっていくと(i)、本Ｂの紙片の上縁が左側上段のサブフレーム４０ａに設けたクリップ７５の外周に沿ってガイドされるとともに紙片の下縁側が左側下段のサブフレーム４０ａに設けたクリップ７５の外周に沿ってガイドされる(ii)。そして、紙片がこの左側の上段及び下段のサブフレーム４０ａのクリップ７５から外れる(iii)。次にまた、右側上下段のサブフレーム４０ｂのクリップ７５の包持部７２に紙片を押し込み(iv)、この包持部７２に紙片を包持させる。
この際、クリップ７０，７５の包持部７２は、線材で構成され、この線材で本を包持するようにしているので、本Ｂのページめくりをする際、本Ｂの紙片をクリップから外し易くページめくりが容易になる。特に、クリップ７５においては、包持部７２に本Ｂに接する湾曲部７２ａを形成し、その頂点付近が本Ｂに略点接触するようにしたので、より一層、ページめくりを容易にすることができる。また、本Ｂの厚さ及び紙質により紙面に指をあててスライドさせてめくるようにしてもよい。
更に、本体２０の使用角度に合わせて本Ｂが落ちないように、クリップ７０の数を増減させることができ、確実に本体２０に本Ｂを保持させることができる。
また、ガイド８２により本の左右へのずれが規制されるので、本体２０上の本Ｂの保持が確実になる。
【００４２】
その後、読書を終えるなどし、この書見台を使用しない場合には、サブフレーム４０の他端部をサブフレーム４０の一端側に押し込んで、サブフレーム４０を収縮させ（図５（ａ），図１４（ａ））、支持体９０である把手を取り外す。支持体９０が、本体２０に対して着脱可能なので、非使用時に取り外すことができ、かさばりにくくなり、書見台の収納を容易に行なうことができる。
【００４３】
図１７には、第一の実施の形態に係る書見台において、支持体の変形例を示している。
この支持体９０ａは、上記の支持体９０と異なり、把持部９１は、弾性のある樹脂で形成された１つのＵ字状部材９３ａと、Ｕ字状部材９３ａの頂点の外側に設けられるリング状部材９５で構成されている。リング状部材９５は、Ｕ字状部材９３ａの頂点とリング状部材９５とに貫通されるボルト及びナット９６によりＵ字状部材９３ａに結合されるとともに、ボルト９６を軸に回動可能になっている。また、リング状部材９５の内側には、指が挿通できるようになっている。更に、リング状部材９５は柔軟な素材で被覆されており、内側に挿通された指が保護される。
また、支持体取付部９２は、Ｕ字状部材９３の両端に外向に折曲形成され、上記の支持体９０と同様に、メインフレーム２１の複数の支持体取付孔１００のうち２つの支持体取付孔１００に差込可能になっている。この支持体取付部９２は、メインフレーム２１に、上下に４段階に位置調節可能に取り付けられる。
この書見台は、例えば、支持体９０ａのリング部材９５に中指を挿通し、その他の指で第１の補助フレーム６０を把持して用いる。これにより、リング状部材９５に指を通して持つので、手から支持体９０ａを落としにくくすることができる。
その他の作用及び効果は上記のものと同様である。
【００４４】
また、図１８には、第一の実施の形態に係る書見台において、支持体の別の変形例を示している。
この支持体９０ｂは、机の天板等に載置されるスタンドであり、前側脚部材１１０と、前側脚部材を支持する後側脚部材１１１と、本体２０に取り付けられる支持体取付部９２とを備えてなる。
前側脚部材１１０は、一端が互いに接合され、他端が互いに離間する木製の２本の角材１１２で構成されている。また、後側脚部材１１１は、一端が互いに接合され、他端が互いに離間する木製の２本の角材１１３で構成されている。この後側脚部材１１１の角材１１３は、その接合部が、前側脚部材の２本の角材の接合部から下方に突出した角材１１４を介して前側脚部材１１０に取り付けられている。
【００４５】
また、後側脚部材１１１は、前側脚部材１１０に対して回動可能に設けられている。更に、前側脚部材１１０の下側に一端が取り付けられ、他端が後側脚部材１１１のフック１１６に掛止されるチェーン１１５によりその回動位置が位置決めされる。チェーン１１５は、複数のリングを連結して形成され、フック１１６に各リングのいずれかが通されて掛止される。
支持体取付部９２は、前側脚部材１１０から前側に向けて突出する板体１１７の端部を折曲して形成されている。この支持体取付部９２は、前側脚部材１１０の前面に３つ形成されている。３つの支持体取付部９２のうち中央と下側の２つは、上下に移動可能になっており、支持体取付孔１００の位置に合わせて調整可能になっている。また、支持体取付部９２のうち中央の１つは、下向きに折曲されており、メインフレーム２１への取付を確実にできるようになっている。
図中、１１８は、本体２０のサブフレーム４０に当接して本体２０を支持する支持枠である。
この支持体９０ｂで本体２０を支持する際には、支持体取付部９２をメインフレーム２１の支持体取付孔１００に挿入して取り付ける。そして、チェーン１１５を、後側脚部材１１１のフック１１６に掛止して後側脚部材１１１の前側脚部材１１０に対する回動位置を位置決めし、この状態で机の天板等の上に載置する。
そして、上記と同様にして、本体２０に本を載置し、本を読む。把手と異なり、机に載置されるので、手で支えなくても本を読むことができる。
【００４６】
図１９には、第一の実施の形態に係る書見台において、支持体のまた別の変形例を示している。
この支持体９０ｃは、片持ち支持されるアーム１２２を備えている。このアーム１２２は、例えば、ベッドサイドのボード１２４ａに取り付け可能なクランパ１２３を有した基端側部材１２４と、この基端側部材１２４に中間部材１２６を介して連結される先端側部材１２５とを備えてなる。先端側部材１２５の先端には、上記の別の支持体９０ｂと同様の本体２０の裏面側を支持する支持枠１１８及び支持枠１１８に固定された支持体取付部９２が取り付けられている。基端側部材１２４と中間部材１２６との間には、中間部材１２６を基端側部材１２４に対して回動可能かつ適宜の回動位置でロック可能な連結部材１２６ａが介装されている。また、中間部材１２６と先端側部材１２５との間にも、連結部材１２６ａと同様の連結部材１２６ｂが介装されている。
この支持体９０ｃを用いて本を読む際には、連結部材１２５を調節して適宜の位置で固定する。そして、上記と同様にして、本体２０に本を載置し、本を読む。把手と異なり、手で支えなくても本を読むことができる。また、アーム１２２で片持ち支持したので、ベッドで寝ながらしかも仰向けで本を読むことができる。
その他の作用，効果は上記のものと同様である。
【００４７】
図１９には、第一の実施の形態に係る書見台において、支持体の更に別の変形例を示している。
この支持体９０ｄは、スタンドタイプの変形例である。
支持体９０ｄは、床に載置されるベース１２７と、ベース１２７に立設されたポール１２８とを備えてなる。ポール１２８の上端には、上記の別の支持体９０ｃと同様の本体２０の裏面側を支持する支持枠１１８及び支持枠１１８に固定された支持体取付部９２が取り付けられている。
この支持体９０ｄを用いて本を読む際には、上記と同様にして、本体２０に本を載置し、本を読む。把手と異なり、床に対して支持されるので、手で支えなくても本を読むことができる。また、譜面台のように用いることができる。
その他の作用，効果は上記のものと同様である。
【００４８】
図２１には、本発明の第二の実施の形態に係る書見台を示している。
この書見台は、本体２０の大きさが例えば、所謂文庫本，単行本といわれる小さいタイプの本用で、下記の点で上記第一の実施の形態に係る書見台との構成が異なる。
下段のサブフレーム４０は、伸縮しないタイプのものである。この下段のサブフレーム４０は、上記第一の実施の形態と同様に、内側部材４１及び外側部材４２とで形成されている。また、各サブフレーム４０の差込部４３は、メインフレーム２１の差込孔２８に対して着脱自在になっている。
更にまた、第１の補助フレーム６０は金属製で板状に形成されており、一端が下段のサブフレーム４０の裏面に、他端が中段のサブフレーム４０の裏面に、ボルト及びナット（図示せず）で夫々接合されている。また、第１の補助フレーム６０には、横断面コ字状に形成され、第１の補助フレーム６０を向かい合う板部１２９で挾持するとともに板部１２９の接合部の外側に滑り止め材１２１ａを有した把持部材１２１が設けられている。
また、メインフレーム２１には、このメインフレーム２１とともに、本の背表紙を挾持する挾持部材１３５が設けられている。挾持部材１３５は、例えば、所謂ダブルクリップで構成されている。ダブルクリップの内面には本を弾持する板状ゴム製の滑り止めが設けられている。挾持部材１３５は、メインフレーム２１に対して、着脱可能になっており、必要に応じて用いられる。
【００４９】
更にまた、第２の補助フレーム６５の形状が異なっている。この第２の補助フレーム６５は、金属製板状に形成され、上段と中段のサブフレーム４０間に架設されている。第２の補助フレーム６５の、上端側は、上段の裏面にボルト及びナット（１２０）を介して連結され、下端側は、中段のサブフレーム４０の裏面にボルト及びナット（１２０）を介して連結される。第２の補助フレーム６５の下端側には、中段のサブフレーム４０に連結するためのボルトが挿通される孔６６が長孔に形成され、上側のメインフレーム２１ａの進退動に対応できるようになっている。
そしてまた、メインフレーム２１には、支持体取付孔１００が設けられ、第一の実施の形態の支持体９０，９０ａ，９０ｂ，９０ｃ，９０ｄと同様のものが取り付け可能になっている。
この書見台を用いるときは、上記第一の実施の形態の書見台と同様に、本体２０に支持体９０を取り付け、本体２０上に本を載せ、挾持部材１３５で本の背表紙を挾持して用いる。挾持部材１３５で本の背表紙が挾持されるので、本のずれ防止が確実になる。また、支持体９０ａ等の把手を本体２０に取り付けた状態で、２つの把持部材１２１を外側からつかみ込むと、本体２０が持ちやすくなる。
その後、本を読み終えたならばメインフレーム２１からサブフレーム４０を取り外して分解する。これにより、分解して全体の大きさを小さくすることができ持ち運びを容易に行なうことができる。
その他の作用，効果は、上記のものと同様である。
【００５０】
次にまた、図２２に示すように、この書見台は、より小さな本用に、上側のメインフレーム２１ａが取り外しできるようになっている。この場合、第２の補助フレーム６５の他端側において、上段のサブフレーム４０のボルトからナット（１２０）を取り外す。次に、ボルトが挿通されていた孔６６に、上側のメインフレーム２１ａの板体３１を締め付ける雄ネジ３２を挿通して下側のメインフレーム２１ｂの上端に止める。
このものにおいても、上記のものと同様にして用いられる。
【００５１】
図２３には、例えば、新聞等の大きな書物に対応した本発明の第三の実施の形態に係る書見台を示している。この書見台は、図示しないが、その左側のサブフレーム４０ａの差込部４３は、外側部材４２に形成され、その右側のサブフレーム４０ｂの差込部は、内側部材４１に形成されている。
また、書見台は、メインフレーム２１に対して左右４本ずつ計８本のサブフレーム４０が設けられている。また、これらのサブフレーム４０内には、ロッドＲが挿通されていない。更に、メインフレーム２１は、上記の実施の形態と異なり、上下に分割されていない構造になっている。また、最上段及び最下段のサブフレーム４０間には、サブフレーム４０を補強するとともにメインフレーム２１と平行に２本の補助フレーム１３０が架設されている。
補助フレーム１３０は、サブフレーム４０と同様に、内側部材４１と外側部材４２とからなる。これらサブフレーム４０及び補助フレーム１３０は伸縮しないタイプのものであり、サブフレーム４０と補助フレーム１３０の接続は、図２４（ａ）（ｂ）に示すように、外側部材４２及び内側部材４１から突出した板状の舌片１３２をサブフレーム４０及び補助フレーム１３０の端部から内側部材４１と外側部材４２とで形成された空間内に差し込んで行なう。
クリップ７０は、最上段と最下段のサブフレーム４０の他端に取り付けられている。このクリップ７０は、包持部７２の線材が樹脂で形成されたタイプのものである。また、左側のサブフレーム４０（４０ａ）のクリップ７０は、裏面側においても本体２０との間に包持できるように、表側に延びる包持部７２と同様に裏側に延びる包持部７２を備えている。
【００５２】
更にまた、支持体が上記のものに加えて、支持体９０ｅとして、最下段のサブフレーム４０に固定のタイプの把手が設けられている。この支持体９０ｅは、サブフレーム４０から下側に向けて突出した２つの円柱状部材１４１と、円柱状部材１４１の先端間に架設された架設部材１４２とを備えてなる。また、メインフレーム２１には、この固定タイプの支持体９０ｅの他に、上記第一の実施の形態の着脱できるタイプの支持体９０，９０ａ，９０ｂ等が取り付け可能なように支持体取付孔も設けられている（図示せず）。
そしてまた、左側のサブフレーム４０（４０ａ）及び右側のサブフレーム４０（４０ｂ）は、メインフレーム２１に対して着脱可能になっている。
【００５３】
この書見台を用いて新聞Ｂａを読む場合には、予め、メインフレーム２１からサブフレーム４０を外しておき、新聞Ｂａの中央にパンチ孔１５１を少なくとも２箇所（実施の形態では３箇所）形成し、各パンチ孔１５１に開閉可能なリング１５０を挿通し、リング１５０にメインフレーム２１を挿通して新聞Ｂａの背を係止する。そして、メインフレーム２１にサブフレーム４０を取り付けクリップ７０で新聞Ｂａの紙面を包持し、この状態で新聞Ｂａを読む。
その他の作用及び効果は上記のものと同様である。
尚、図２５に示すように、この第三の実施の形態に係る書見台は、例えば、差込部４３が内側部材４１からなる右側のサブフレーム４０ｂを外し、メインフレーム２１及び差込部４３が外側部材４２からなる左側のサブフレーム４０ａで構成された本体２０で新聞Ｂａを保持した状態で用いてもよい。この場合、支持体９０ｅのみを用いて新聞Ｂａを読む。読み終えてめくり返した新聞Ｂａの紙面は、クリップ７０の裏面側の包持部７２で包持せしめる。このものにおいてもその他の作用及び効果は上記のものと同様である。
【００５４】
尚、上記第一及び第二の実施の形態においては、１つのメインフレーム２１に対してサブフレーム４０を６つ設け、上記第三の実施の形態においては、１つのメインフレーム２１に対してサブフレーム４０を８つ設けたが、これに限定されるものでなく、サブフレーム４０が少なくとも１つあればよく、また、９つ以上あっても良いことは勿論である。
【００５５】
尚また、第一の実施の形態において、ガイド８２は幅が固定のタイプであったが、図２６に示すように、本の背表紙に合わせて幅調整可能なガイド８２ａであってよく、適宜設計変更して良い。
また、図２７には、紐体８５の代わりに本体２０に設けられ、本Ｂの中央を載置板８０側に包持するクリップ８５ａを示している。クリップ８５ａは、メインフレーム２１に取り付けられるクリップ取付部１４４と、本体２０との間に開かれた本Ｂの中央を包持する包持部１４５とを備えてなる。クリップ取付部１４４は、そのクリップ取付部１４４が包持部１４５から二股に分かれ弾性を有した線材で形成されている。包持部１４５は、線材で構成されている。
【図面の簡単な説明】
【００５６】
【図１】本発明の第一の実施の形態に係る書見台を示す斜視図である。
【図２】本発明の第一の実施の形態に係る書見台を示す斜視図である。
【図３】本発明の第一の実施の形態に係る書見台を裏面側から示す斜視図である。
【図４】本発明の第一の実施の形態に係る書見台に本を保持した状態で示す斜視図である。
【図５】本発明の第一の実施の形態に係る書見台のメインフレーム及びサブフレームを示し、（ａ）サブフレームの収縮状態、（ｂ）サブフレームの伸長状態を夫々示す斜視図である。
【図６】本発明の第一の実施の形態に係る書見台のメインフレームを示す分解斜視図である。
【図７】本発明の第一の実施の形態に係る書見台のメインフレームを示す斜視図である。
【図８】本発明の第一の実施の形態に係る書見台のサブフレームを示す分解斜視図である。
【図９】本発明の第一の実施の形態に係る書見台のサブフレームの差込部を拡大した状態で示す斜視図である。
【図１０】本発明の第一の実施の形態に係る書見台のメインフレームを示し、メインフレームにロッドを取り付ける前の状態で示す横断面図である。
【図１１】本発明の第一の実施の形態に係る書見台のメインフレームにサブフレームを取り付ける前の状態を示す横断面図である。
【図１２】本発明の第一の実施の形態に係る書見台のメインフレームにサブフレームを取り付けた状態を示す横断面図である。
【図１３】本発明の第一の実施の形態に係る書見台のメインフレーム及びサブフレームを示し、（ａ）サブフレームの収縮状態、（ｂ）サブフレームの伸長状態を夫々示す断面図である。
【図１４】本発明の第一の実施の形態に係る書見台のサブフレームの図１３中Ａ−Ａ線の端面を示す図である。
【図１５】本発明の第一の実施の形態に係る書見台のサブフレームの図１３中Ｂ−Ｂ線の端面を示す図である。
【図１６】本発明の第一の実施の形態に係る書見台のサブフレームにおいて、クリップを示す断面図である。
【図１７】本発明の第一の実施の形態に係る書見台の支持体の変形例を示す斜視図である。
【図１８】本発明の第一の実施の形態に係る書見台の支持体の別の変形例を示す斜視図である。
【図１９】本発明の第一の実施の形態に係る書見台の支持体のまた別の変形例を示す斜視図である。
【図２０】本発明の第一の実施の形態に係る書見台の支持体の更に別の変形例を示す斜視図である。
【図２１】本発明の第二の実施の形態に係る書見台を裏側から見た状態で示す斜視図である。
【図２２】本発明の第二の実施の形態に係る書見台を変形した状態で示す図である。
【図２３】本発明の第三の実施の形態に係る書見台を表側から示す斜視図である。
【図２４】本発明の第三の実施の形態に係る書見台のサブフレームと補助フレームの接続を示す図である。
【図２５】本発明の第三の実施の形態に係る書見台の変形例を示す図である。
【図２６】本発明の第一の実施の形態に係る書見台のガイドの変形例を示す図である。
【図２７】本発明の第一及び第二の実施の形態に係る書見台に用いられるクリップの変形例を示す図である。
【図２８】従来の書見台の一例を示す表面図である。
【図２９】従来の書見台の一例を示す裏面図である。
【図３０】従来の書見台の一例の全体を示す図である。
【符号の説明】
【００５７】
２０  本体
２１  メインフレーム
２２  コ字状部材
２３  一側面
２４  他側面
２５  底面
２８  差込孔
４０  サブフレーム
４１  内側部材
４２  外側部材
４３  差込部
Ｒ  ロッド
５０  ストッパ
５１  突出部
５２  衝止片
６０  第１の補助フレーム
６５  第２の補助フレーム
７０，７０ａ  クリップ
７１  クリップ取付部
７２  包持部
７５  クリップ
８０  載置板
８１  孔
９０  支持体
９１  把持部
９２  支持体取付部
【図１】
2007283024.tif 000003
【図２】
2007283024.tif 000004
【図３】
2007283024.tif 000005
【図４】
2007283024.tif 000006
【図５】
2007283024.tif 000007
【図６】
2007283024.tif 000008
【図７】
2007283024.tif 000009
【図８】
2007283024.tif 000010
【図９】
2007283024.tif 000011
【図１０】
2007283024.tif 000012
【図１１】
2007283024.tif 000013
【図１２】
2007283024.tif 000014
【図１３】
2007283024.tif 000015
【図１４】
2007283024.tif 000016
【図１５】
2007283024.tif 000017
【図１６】
2007283024.tif 000018
【図１７】
2007283024.tif 000019
【図１８】
2007283024.tif 000020
【図１９】
2007283024.tif 000021
【図２０】
2007283024.tif 000022
【図２１】
2007283024.tif 000023
【図２２】
2007283024.tif 000024
【図２３】
2007283024.tif 000025
【図２４】
2007283024.tif 000026
【図２５】
2007283024.tif 000027
【図２６】
2007283024.tif 000028
【図２７】
2007283024.tif 000029
【図２８】
2007283024.tif 000030
【図２９】
2007283024.tif 000031
【図３０】
2007283024.tif 000032
【手続補正書】
【提出日】平成18年11月9日(2006.11.9)
【手続補正１】
【補正対象書類名】特許請求の範囲
【補正対象項目名】全文
【補正方法】変更
【補正の内容】
【特許請求の範囲】
【請求項１】
本を開いた状態で該本の外側を支持する本体と、該本体に取り付けられ上記本体上の本を開いた状態を保持するクリップと、上記本体を支持する支持体とを備えた書見台において、
上記本体を、細長状に形成されるメインフレームと、細長状に形成され該メインフレームに直交させて固定される少なくとも一つのサブフレームとを備えて構成し、
上記メインフレームに差込孔を設け、上記サブフレームの長手方向一端に上記メインフレームの差込孔に差し込まれる差込部を設け、
上記メインフレームを中空状に形成し、該メインフレームの内部に、上記差込孔から差し込まれた差込部を挾持する一対の弾接片を設けたことを特徴とする書見台。
【請求項２】
上記サブフレームの差込部を、上記メインフレームの差込孔に対して着脱可能にしたことを特徴とする請求項１記載の書見台。
【請求項３】
上記メインフレームを、弾性のある材料により形成され、一側面，該一側面に対峙する他側面及び該一側面と他側面の基端間に架設された底面により横断面コ字状に形成された一対のコ字状部材を備え、上記一対のコ字状部材の一側面及び他側面の先端側を互いに向かい合わせて組み合わせ、上記一対のコ字状部材のうち一方のコ字状部材の一側面の内側の先端部を他方のコ字状部材の他側面の外側の基端部に接合し、上記他方のコ字状部材の一側面の内側の先端部を上記一方のコ字状部材の他側面の外側の基端部に接合して形成し、
上記コ字状部材の底面に上記差込孔を設け、上記一対のコ字状部材の他側面を上記弾接片として構成したことを特徴とする請求項２記載の書見台。
【請求項４】
上記サブフレームを、伸縮可能に形成したことを特徴とする請求項１，２または３記載の書見台。
【請求項５】
上記サブフレームを、横断面チャンネル状の内側部材と、該内側部材の開放端が内側に入り込んで該内側部材を長手方向に相対的にスライド移動可能に保持する横断面チャンネル状の外側部材とを備えて構成し、上記内側部材及び外側部材のいずれか一方の一端を切除し、上記差込部をいずれか他方の一端で構成したことを特徴とする請求項４記載の書見台。
【請求項６】
上記差込孔を、上記メインフレームを貫通して左右に一対設け、
一方の差込孔に差し込まれる上記サブフレームの差込部を上記内側部材の一端で形成し、他方の差込孔に差し込まれるサブフレームの差込部を外側部材の一端で形成し、
上記一対の差込孔に差し込まれる一方の差込部と他方の差込部とを上記メインフレーム内で係合したことを特徴とする請求項５記載の書見台。
【請求項７】
上記一方の差込孔に差し込まれるサブフレームの内側部材と、上記他方の差込孔に差し込まれるサブフレームの外側部材とを同一面側に位置させ、上記内側部材の差込部と上記外側部材の差込部とを重ねて係合したことを特徴とする請求項６記載の書見台。
【請求項８】
上記サブフレーム内に、上記サブフレームの伸縮幅を規制するストッパを設け、
該ストッパを、上記内側部材または外側部材のうち、上記差込部が設けられていない方の内側面に突出部を設け、上記差込部が設けられた方の内側面に上記突出部を衝止する衝止片を設けたことを特徴とする請求項５，６または７記載の書見台。
【請求項９】
上記内側部材及び外側部材間に、該内側部材及び外側部材を補強するロッドを挿通したことを特徴とする請求項５，６，７または８記載の書見台。
【請求項１０】
上記クリップを、上記本体に着脱可能に取り付けたことを特徴とする請求項１，２，３，４，５，６，７，８または９記載の書見台。
【請求項１１】
上記クリップを、上記本体に取り付けられるクリップ取付部と、上記本体との間に開かれた本を包持する包持部とを備え、上記包持部を、一端がクリップ取付部に支持された線材で構成したことを特徴とする請求項１，２，３，４，５，６，７，８，９または１０記載の書見台。
【請求項１２】
上記本体を複数種類の支持体に着脱可能にしたことを特徴とする請求項１，２，３，４，５，６，７，８，９，１０または１１記載の書見台。
【請求項１３】
上記支持体は、少なくとも手で把持する把手，載置用のスタンド，片持ち支持されるアームの３種類あることを特徴とする請求項１２記載の書見台。
【請求項１４】
上記メインフレームの裏面に、該メインフレームの長手方向に沿って列設される複数の支持体取付孔を形成し、
上記把手を、把持される把持部と、上記支持体取付孔に挿入されて取り付けられる支持体取付部とを備えて構成し、
上記把持部を、頂点で互いに交差されて互いに接合される２つのＵ字状部材で構成し、上記支持体取付部を、２つのＵ字状部材のうち少なくともいずれか一方の両端に外向に折曲形成し、該支持体取付部を上記複数の支持体取付孔のうち２つの支持体取付孔に差し込み可能にしたことを特徴とする請求項１３記載の書見台。
【請求項１５】
上記メインフレームの裏面に、該メインフレームの長手方向に沿って列設される複数の支持体取付孔を形成し、
上記把手を、把持される把持部と、上記支持体取付孔に挿入されて取り付けられる支持体取付部とを備えて構成し、
上記把持部を、１つのＵ字状部材と、該Ｕ字状部材の頂点の外側に回動可能に設けられるリング状部材とを備えて構成し、
上記支持体取付部を、上記Ｕ字状部材の両端に外向に折曲形成し、該支持体取付部を上記複数の支持体取付孔のうち２つの支持体取付孔に差し込み可能にしたことを特徴とする請求項１３記載の書見台。
【請求項１６】
本を開いた状態で該本の外側を支持する本体と、該本体に取り付けられ上記本体上の本を開いた状態を保持するクリップと、上記本体を支持する支持体とを備えた書見台において、
上記本体を、細長状に形成されるメインフレームと、細長状に形成され該メインフレームに直交させて固定される少なくとも一つのサブフレームとを備えて構成し、
上記メインフレームに差込孔を設け、上記サブフレームの長手方向一端に上記メインフレームの差込孔に差し込まれる差込部を設け、
上記サブフレームを、伸縮可能に形成し、
上記サブフレームを、横断面チャンネル状の内側部材と、該内側部材の開放端が内側に入り込んで該内側部材を長手方向に相対的にスライド移動可能に保持する横断面チャンネル状の外側部材とを備えて構成し、上記内側部材及び外側部材のいずれか一方の一端を切除し、上記差込部をいずれか他方の一端で構成したことを特徴とする書見台。
【請求項１７】
上記サブフレームの差込部を、上記メインフレームの差込孔に対して着脱可能にしたことを特徴とする請求項１６記載の書見台。
【請求項１８】
上記差込孔を、上記メインフレームを貫通して左右に一対設け、
一方の差込孔に差し込まれる上記サブフレームの差込部を上記内側部材の一端で形成し、他方の差込孔に差し込まれるサブフレームの差込部を外側部材の一端で形成し、
上記一対の差込孔に差し込まれる一方の差込部と他方の差込部とを上記メインフレーム内で係合したことを特徴とする請求項１６または１７記載の書見台。
【請求項１９】
上記一方の差込孔に差し込まれるサブフレームの内側部材と、上記他方の差込孔に差し込まれるサブフレームの外側部材とを同一面側に位置させ、上記内側部材の差込部と上記外側部材の差込部とを重ねて係合したことを特徴とする請求項１８記載の書見台。
【請求項２０】
上記サブフレーム内に、上記サブフレームの伸縮幅を規制するストッパを設け、
該ストッパを、上記内側部材または外側部材のうち、上記差込部が設けられていない方の内側面に突出部を設け、上記差込部が設けられた方の内側面に上記突出部を衝止する衝止片を設けたことを特徴とする請求項１６，１７，１８または１９記載の書見台。
【請求項２１】
上記内側部材及び外側部材間に、該内側部材及び外側部材を補強するロッドを挿通したことを特徴とする請求項１６，１７，１８，１９または２０記載の書見台。
【請求項２２】
上記クリップを、上記本体に着脱可能に取り付けたことを特徴とする請求項１６，１７，１８，１９，２０または２１記載の書見台。
【請求項２３】
上記クリップを、上記本体に取り付けられるクリップ取付部と、上記本体との間に開かれた本を包持する包持部とを備え、上記包持部を、一端がクリップ取付部に支持された線材で構成したことを特徴とする請求項１６，１７，１８，１９，２０，２１または２２記載の書見台。
【請求項２４】
上記本体を複数種類の支持体に着脱可能にしたことを特徴とする請求項１６，１７，１８，１９，２０，２１，２２または２３記載の書見台。
【請求項２５】
上記支持体は、少なくとも手で把持する把手，載置用のスタンド，片持ち支持されるアームの３種類あることを特徴とする請求項２４記載の書見台。
【請求項２６】
上記メインフレームの裏面に、該メインフレームの長手方向に沿って列設される複数の支持体取付孔を形成し、
上記把手を、把持される把持部と、上記支持体取付孔に挿入されて取り付けられる支持体取付部とを備えて構成し、
上記把持部を、頂点で互いに交差されて互いに接合される２つのＵ字状部材で構成し、上記支持体取付部を、２つのＵ字状部材のうち少なくともいずれか一方の両端に外向に折曲形成し、該支持体取付部を上記複数の支持体取付孔のうち２つの支持体取付孔に差し込み可能にしたことを特徴とする請求項２５記載の書見台。
【請求項２７】
上記メインフレームの裏面に、該メインフレームの長手方向に沿って列設される複数の支持体取付孔を形成し、
上記把手を、把持される把持部と、上記支持体取付孔に挿入されて取り付けられる支持体取付部とを備えて構成し、
上記把持部を、１つのＵ字状部材と、該Ｕ字状部材の頂点の外側に回動可能に設けられるリング状部材とを備えて構成し、
上記支持体取付部を、上記Ｕ字状部材の両端に外向に折曲形成し、該支持体取付部を上記複数の支持体取付孔のうち２つの支持体取付孔に差し込み可能にしたことを特徴とする請求項２５記載の書見台。
【請求項２８】
本を開いた状態で該本の外側を支持する本体と、該本体に取り付けられ上記本体上の本を開いた状態を保持するクリップと、上記本体を支持する支持体とを備えた書見台において、
上記本体を、細長状に形成されるメインフレームと、細長状に形成され該メインフレームに直交させて固定される少なくとも一つのサブフレームとを備えて構成し、
上記メインフレームに差込孔を設け、上記サブフレームの長手方向一端に上記メインフレームの差込孔に差し込まれる差込部を設け、
上記本体を複数種類の支持体に着脱可能にし、
上記支持体は、少なくとも手で把持する把手，載置用のスタンド，片持ち支持されるアームの３種類あり、
上記メインフレームの裏面に、該メインフレームの長手方向に沿って列設される複数の支持体取付孔を形成し、
上記把手を、把持される把持部と、上記支持体取付孔に挿入されて取り付けられる支持体取付部とを備えて構成し、
上記把持部を、頂点で互いに交差されて互いに接合される２つのＵ字状部材で構成し、上記支持体取付部を、２つのＵ字状部材のうち少なくともいずれか一方の両端に外向に折曲形成し、該支持体取付部を上記複数の支持体取付孔のうち２つの支持体取付孔に差し込み可能にしたことを特徴とする書見台。
【請求項２９】
上記サブフレームの差込部を、上記メインフレームの差込孔に対して着脱可能にしたことを特徴とする請求項２８記載の書見台。
【請求項３０】
上記サブフレームを、伸縮可能に形成したことを特徴とする請求項２８または２９記載の書見台。
【請求項３１】
上記クリップを、上記本体に着脱可能に取り付けたことを特徴とする請求項２８，２９または３０記載の書見台。
【請求項３２】
上記クリップを、上記本体に取り付けられるクリップ取付部と、上記本体との間に開かれた本を包持する包持部とを備え、上記包持部を、一端がクリップ取付部に支持された線材で構成したことを特徴とする請求項２８，２９，３０または３１記載の書見台。
【請求項３３】
本を開いた状態で該本の外側を支持する本体と、該本体に取り付けられ上記本体上の本を開いた状態を保持するクリップと、上記本体を支持する支持体とを備えた書見台において、
上記本体を、細長状に形成されるメインフレームと、細長状に形成され該メインフレームに直交させて固定される少なくとも一つのサブフレームとを備えて構成し、
上記メインフレームに差込孔を設け、上記サブフレームの長手方向一端に上記メインフレームの差込孔に差し込まれる差込部を設け、
上記本体を複数種類の支持体に着脱可能にし、
上記支持体は、少なくとも手で把持する把手，載置用のスタンド，片持ち支持されるアームの３種類あり、
上記メインフレームの裏面に、該メインフレームの長手方向に沿って列設される複数の支持体取付孔を形成し、
上記把手を、把持される把持部と、上記支持体取付孔に挿入されて取り付けられる支持体取付部とを備えて構成し、
上記把持部を、１つのＵ字状部材と、該Ｕ字状部材の頂点の外側に回動可能に設けられるリング状部材とを備えて構成し、
上記支持体取付部を、上記Ｕ字状部材の両端に外向に折曲形成し、該支持体取付部を上記複数の支持体取付孔のうち２つの支持体取付孔に差し込み可能にしたことを特徴とする書見台。
【請求項３４】
上記サブフレームの差込部を、上記メインフレームの差込孔に対して着脱可能にしたことを特徴とする請求項３３記載の書見台。
【請求項３５】
上記サブフレームを、伸縮可能に形成したことを特徴とする請求項３３または３４記載の書見台。
【請求項３６】
上記クリップを、上記本体に着脱可能に取り付けたことを特徴とする請求項３３，３４または３５記載の書見台。
【請求項３７】
上記クリップを、上記本体に取り付けられるクリップ取付部と、上記本体との間に開かれた本を包持する包持部とを備え、上記包持部を、一端がクリップ取付部に支持された線材で構成したことを特徴とする請求項３３，３４，３５または３６記載の書見台。